(57)【要約】【課題】この発明は、消費電力の節減化が図れるとともにＬＣＤ表示器のバックライトの寿命を延ばすことができるようになる画像形成装置を提供することを目的とする。【解決手段】ＬＣＤ表示器を備えかつファクシミリ機能を備えた画像形成装置において、ファクシミリ送信時において原稿画像読み取り動作が開始された後、一定時間が経過したときに、原稿画像読み取り動作が継続している場合には、ＬＣＤ表示器のバックライトをオフさせる第１手段、および第１手段によってＬＣＤ表示器のバックライトがオフされた後に、原稿画像読み取り動作が終了したときに、ＬＣＤ表示器のバックライトをオンさせる第２手段を備えている。【選択図】  図１
2004236057.tif 000002
【特許請求の範囲】
【請求項１】
ＬＣＤ表示器を備えかつファクシミリ機能を備えた画像形成装置において、
ファクシミリ送信時において原稿画像読み取り動作が開始された後、一定時間が経過したときに、原稿画像読み取り動作が継続している場合には、ＬＣＤ表示器のバックライトをオフさせる第１手段、および
第１手段によってＬＣＤ表示器のバックライトがオフされた後に、原稿画像読み取り動作が終了したときに、ＬＣＤ表示器のバックライトをオンさせる第２手段、
を備えていることを特徴とする画像形成装置。
【請求項２】
ＬＣＤ表示器を備えかつファクシミリ機能を備えた画像形成装置において、
ファクシミリ受信時において印字動作が開始された後、一定時間が経過したときに、印字動作が継続している場合には、ＬＣＤ表示器のバックライトをオフさせる第１手段、および
第１手段によってＬＣＤ表示器のバックライトがオフされた後に、印字動作が終了したときに、ＬＣＤ表示器のバックライトをオンさせる第２手段、
を備えていることを特徴とする画像形成装置。
【請求項３】
ＬＣＤ表示器を備えかつファクシミリ機能を備えた画像形成装置において、
ファクシミリ送信時において原稿画像読み取り動作が開始された後、一定時間が経過したときに、原稿画像読み取り動作が継続している場合には、ＬＣＤ表示器のバックライトをオフさせる第１手段、
第１手段によってＬＣＤ表示器のバックライトがオフされた後に、原稿画像読み取り動作が終了したときに、ＬＣＤ表示器のバックライトをオンさせる第２手段、
ファクシミリ受信時において印字動作が開始された後、一定時間が経過したときに、印字動作が継続している場合には、ＬＣＤ表示器のバックライトをオフさせる第３手段、および
第３手段によってＬＣＤ表示器のバックライトがオフされた後に、印字動作が終了したときに、ＬＣＤ表示器のバックライトをオンさせる第４手段、
を備えていることを特徴とする画像形成装置。
【請求項４】
ＬＣＤ表示器を備えかつ複写機能を備えた画像形成装置において、
複写時において原稿画像読み取り動作が開始された後、一定時間が経過したときに、原稿画像読み取り動作が継続しているかまたは印字動作が行われているときには、ＬＣＤ表示器のバックライトをオフさせる第１手段、および
第１手段によってＬＣＤ表示器のバックライトがオフされた後に、原稿画像読み取り動作および印字動作の両方が終了した状態となったときに、ＬＣＤ表示器のバックライトをオンさせる第２手段、
を備えていることを特徴とする画像形成装置。
【発明の詳細な説明】
【０００１】
【産業上の利用分野】
この発明は、ファクシミリ装置、複写機等の画像形成装置に関する。
【０００２】
【従来の技術】
従来のファクシミリ装置、複写機等の画像形成装置においては、印字動作中または原稿画像読込動作中においては、操作表示部のＬＣＤ表示器に、印字動作中または原稿画像読込動作中であることを示す画像が常に表示されている。しかしながら、印字動作中または原稿画像読込動作中においては、ユーザにとってＬＣＤ表示画面を確認する必要性はほとんどない。
【０００３】
【発明が解決しようとする課題】
この発明は、上記実情に鑑みてなされたものであって、消費電力の節減化が図れるとともにＬＣＤ表示器のバックライトの寿命を延ばすことができるようになる画像形成装置を提供することを目的とする。
【０００４】
【課題を解決するための手段】
請求項１に記載の発明は、ＬＣＤ表示器を備えかつファクシミリ機能を備えた画像形成装置において、ファクシミリ送信時において原稿画像読み取り動作が開始された後、一定時間が経過したときに、原稿画像読み取り動作が継続している場合には、ＬＣＤ表示器のバックライトをオフさせる第１手段、および第１手段によってＬＣＤ表示器のバックライトがオフされた後に、原稿画像読み取り動作が終了したときに、ＬＣＤ表示器のバックライトをオンさせる第２手段を備えていることを特徴とする。
【０００５】
請求項２に記載の発明は、ＬＣＤ表示器を備えかつファクシミリ機能を備えた画像形成装置において、ファクシミリ受信時において印字動作が開始された後、一定時間が経過したときに、印字動作が継続している場合には、ＬＣＤ表示器のバックライトをオフさせる第１手段、および第１手段によってＬＣＤ表示器のバックライトがオフされた後に、印字動作が終了したときに、ＬＣＤ表示器のバックライトをオンさせる第２手段を備えていることを特徴とする。
【０００６】
請求項３に記載の発明は、ＬＣＤ表示器を備えかつファクシミリ機能を備えた画像形成装置において、ファクシミリ送信時において原稿画像読み取り動作が開始された後、一定時間が経過したときに、原稿画像読み取り動作が継続している場合には、ＬＣＤ表示器のバックライトをオフさせる第１手段、第１手段によってＬＣＤ表示器のバックライトがオフされた後に、原稿画像読み取り動作が終了したときに、ＬＣＤ表示器のバックライトをオンさせる第２手段、ファクシミリ受信時において印字動作が開始された後、一定時間が経過したときに、印字動作が継続している場合には、ＬＣＤ表示器のバックライトをオフさせる第３手段、および第３手段によってＬＣＤ表示器のバックライトがオフされた後に、印字動作が終了したときに、ＬＣＤ表示器のバックライトをオンさせる第４手段を備えていることを特徴とする。
【０００７】
請求項４に記載の発明は、ＬＣＤ表示器を備えかつ複写機能を備えた画像形成装置において、複写時において原稿画像読み取り動作が開始された後、一定時間が経過したときに、原稿画像読み取り動作が継続しているかまたは印字動作が行われているときには、ＬＣＤ表示器のバックライトをオフさせる第１手段、および第１手段によってＬＣＤ表示器のバックライトがオフされた後に、原稿画像読み取り動作および印字動作の両方が終了した状態となったときに、ＬＣＤ表示器のバックライトをオンさせる第２手段を備えていることを特徴とする。
【０００８】
【発明の実施の形態】
以下、図面を参照して、この発明を、ファクシミリ機能および複写機能を備えた複合機に適用した場合の実施の形態について説明する。
【０００９】
図１は、ファクシミリ機能および複写機能を備えた複合機の構成を示している。
複合機は、複合機本体１とスキャナ部２とを備えている。複合機本体１は、ＣＰＵ３１、ＲＯＭ３２、ＲＡＭ３３、操作表示部３４、スキャナインタフェース３５、バッファメモリ３６、プリンタコントローラ３７、ビットマップメモリ３８、プリンタ部３９、ＣＯＤＥＣ４４、モデム４５、ＮＣＵ４６を備えている。操作表示部３４は、ＬＣＤ表示器３４ａを備えている。スキャナ部２は、複合機本体１内のスキャナインタフェース３５に接続されている。ＮＣＵ４６は公衆回線５１を介して他のファクシミリ装置６０に接続されている。
【００１０】
この複合機では、ファクシミリ送信モード時における原稿画像読込動作中、ファクシミリ受信モード時における印字動作中原稿画像読込動作中、ならびに複写モード時における複写動作中において、ＣＰＵ３１によって液晶表示器３４ａのバックライトのオンオフ制御が行われる。
【００１１】
図２は、ファクシミリ送信モード時の原稿画像読込動作中に行われるバックライトのオンオフ制御処理手順を示している。
【００１２】
原稿画像読込動作が開始されると（ステップ１）、所定時間Ｔ１が経過するのを待つ（ステップ２）。なお、原稿画像読込動作が開始されたときに読み込み信号がＯＮし、全ての原稿に対する原稿画像読込動作が終了すると読み込み信号がＯＦＦとなる。
【００１３】
所定時間Ｔ１が経過すると（ステップ２でＹＥＳ）、読み込み信号がＯＮとなっているか否かを判別する（ステップ３）。読み込み信号が、既にＯＦＦとなっている場合には、つまり、読み取り原稿枚数が少ないため、所定時間Ｔ１以内に、原稿画像読込動作が終了した場合には、今回のバックライトのオンオフ制御処理を終了する。
【００１４】
上記ステップ３において、読み込み信号がＯＮとなっている場合には、液晶表示器３４ａのバックライトをＯＦＦにする（ステップ４）。そして、読み込み信号がＯＦＦとなるのを待つ（ステップ５）。
【００１５】
読み込み信号がＯＦＦとなると（ステップ５でＹＥＳ）、液晶表示器３４ａのバックライトをＯＮにして、今回のバックライトのオンオフ制御処理を終了する。
【００１６】
このようにすると、ファクシミリ送信モード時の原稿画像読込動作中において、読み取り原稿枚数が多い場合には、原稿画像読込動作の開始後、所定時間Ｔ１が経過したときから、原稿画像読込動作が終了するまでの間は、液晶表示器３４ａのバックライトがＯＦＦにされるので、消費電力の節減化が図れるとともにＬＣＤ表示器３４ａのバックライトの寿命を延ばすことができるようになる。
【００１７】
なお、原稿画像読込動作中に原稿詰まり等の異常が発生した場合には、ＬＣＤ表示器３４ａによって、異常発生をユーザに知らせるとともに対処方法をユーザに知らせる必要があるので、液晶表示器３４ａのバックライトが強制的にＯＮとされる。
【００１８】
図３は、ファクシミリ受信モード時の印字動作中に行われるバックライトのオンオフ制御処理手順を示している。
【００１９】
印字動作が開始されると（ステップ１１）、所定時間Ｔ２が経過するのを待つ（ステップ１２）。なお、印字動作が開始されたときにプリント信号がＯＮし、全ての受信画像に対する印字動作が終了するとプリント信号がＯＦＦとなる。
【００２０】
所定時間Ｔ２が経過すると（ステップ１２でＹＥＳ）、プリント信号がＯＮとなっているか否かを判別する（ステップ１３）。プリント信号が、既にＯＦＦとなっている場合には、つまり、受信画像枚数が少ないため、所定時間Ｔ２以内に、印字動作が終了した場合には、今回のバックライトのオンオフ制御処理を終了する。
【００２１】
上記ステップ１３において、プリント信号がＯＮとなっている場合には、液晶表示器３４ａのバックライトをＯＦＦにする（ステップ１４）。そして、プリント信号がＯＦＦとなるのを待つ（ステップ１５）。
【００２２】
プリント信号がＯＦＦとなると（ステップ１５でＹＥＳ）、液晶表示器３４ａのバックライトをＯＮにして、今回のバックライトのオンオフ制御処理を終了する。
【００２３】
このようにすると、ファクシミリ受信モード時の印字動作中において、受信画像枚数が多い場合には、印字動作の開始後、所定時間Ｔ２が経過したときから、印字動作が終了するまでの間は、液晶表示器３４ａのバックライトがＯＦＦにされるので、消費電力の節減化が図れるとともにＬＣＤ表示器３４ａのバックライトの寿命を延ばすことができるようになる。
【００２４】
なお、印字動作中に紙詰まり等の異常が発生した場合には、ＬＣＤ表示器３４ａによって、異常発生をユーザに知らせるとともに対処方法をユーザに知らせる必要があるので、液晶表示器３４ａのバックライトが強制的にＯＮとされる。
【００２５】
図４は、複写モード時の複写動作中に行われるバックライトのオンオフ制御処理手順を示している。
【００２６】
複写動作は、原稿画像を読み取る原稿画像読込動作と、読み取った原稿を印字する印字動作とからなる。原稿画像読込動作が開始されたときに読み込み信号がＯＮし、全ての原稿に対する原稿画像読込動作が終了すると読み込み信号がＯＦＦとなる。また、印字動作が開始されたときにプリント信号がＯＮし、全ての受信画像に対する印字動作が終了するとプリント信号がＯＦＦとなる。
【００２７】
また、読み込み信号がＯＦＦになったときと同時、またはそれ以前に、プリント信号はＯＮされるものとする。つまり、原稿画像読込動作が完了すると同時に印字動作が開始される場合と、原稿画像読込動作が完了する前に、印字動作が開始される場合とがある。
【００２８】
原稿画像読込動作が開始されると（ステップ３１）、所定時間Ｔ３が経過するのを待つ（ステップ３２）。
【００２９】
所定時間Ｔ３が経過すると（ステップ３２でＹＥＳ）、読み込み信号がＯＮとなっているか否かを判別する（ステップ３３）。読み込み信号が、既にＯＦＦとなっている場合には、つまり、読み取り原稿枚数が少ないため、所定時間Ｔ３以内に、原稿画像読込動作が終了した場合には、プリント信号がＯＮになっているか否かを判別する（ステップ３４）。
【００３０】
ステップ３４において、プリント信号がＯＦＦになっている場合には（ステップ３４でＮＯ）、読み取り原稿枚数が少ないため、所定時間Ｔ３以内に、原稿画像読込動作および印字動作が終了したと判別され、今回のバックライトのオンオフ制御処理を終了する。
【００３１】
ステップ３４において、プリント信号がＯＮになっている場合には（ステップ３４でＹＥＳ）、液晶表示器３４ａのバックライトをＯＦＦにする（ステップ３５）。そして、読み込み信号がＯＦＦであるか否かを判別する（ステップ３６）。読み込み信号がＯＦＦとなっている場合には、ステップ３７に進む。読み込み信号がＯＮである場合には、読み込み信号がＯＦＦになるのを待ってからステップ３７に移行する。
【００３２】
ステップ３７では、プリント信号がＯＦＦであるか否かを判別する。プリント信号がＯＦＦとなっている場合には、ステップ３８に進む。プリント信号がＯＮである場合には、プリント信号がＯＦＦになるのを待ってからステップ３８に移行する。
【００３３】
ステップ３８では、液晶表示器３４ａのバックライトをＯＮにする。そして、今回のバックライトのオンオフ制御処理を終了する。
【００３４】
このようにすると、複写モード時の複写動作中において、複写画像枚数が多い場合には、原稿画像読み取り動作の開始後、所定時間Ｔ３が経過したときから、印字動作が終了するまでの間は、液晶表示器３４ａのバックライトがＯＦＦにされるので、消費電力の節減化が図れるとともにＬＣＤ表示器３４ａのバックライトの寿命を延ばすことができるようになる。
【００３５】
なお、原稿画像読込動作中に原稿詰まり等の異常が発生した場合または印字動作中に紙詰まり等の異常が発生した場合には、ＬＣＤ表示器３４ａによって、異常発生をユーザに知らせるとともに対処方法をユーザに知らせる必要があるので、液晶表示器３４ａのバックライトが強制的にＯＮとされる。
【００３６】
以上は、ファクシミリ機能および複写機能を備えた複合機について説明したが、この発明は、ＬＣＤ表示機を備えている画像形成装置であれば、複合機以外のファクシミリ装置、複写機等の画像形成装置に適用することができる。
【００３７】
【発明の効果】
この発明によれば、消費電力の節減化が図れるとともにＬＣＤ表示器のバックライトの寿命を延ばすことができるようになる。
【図面の簡単な説明】
【図１】ファクシミリ機能および複写機能を備えた複合機の構成を示すブロック図である。
【図２】ファクシミリ送信モード時の原稿画像読込動作中に行われるバックライトのオンオフ制御処理手順を示すフローチャートである。
【図３】ファクシミリ受信モード時の印字動作中に行われるバックライトのオンオフ制御処理手順を示すフローチャートである。
【図４】複写モード時の複写動作中に行われるバックライトのオンオフ制御処理手順を示すフローチャートである。
【符号の説明】
１  複合機本体
２  スキャナ部
３１  ＣＰＵ
３２  ＲＯＭ
３３  ＲＡＭ
３４  操作表示部
３４ａ  ＬＣＤ表示器
３５  スキャナインタフェース
３６  バッファメモリ
３７  プリンタコントローラ
３８  ビットマップメモリ
３９  プリンタ部
４４  ＣＯＤＥＣ
４５  モデム
４６  ＮＣＵ
【図１】
2004236057.tif 000003
【図２】
2004236057.tif 000004
【図３】
2004236057.tif 000005
【図４】
2004236057.tif 000006